(57)【要約】【課題】ユーザにとって視認性が良く使い勝手の良いＥＰＧ画面を生成することが可能な番組表生成装置、番組表生成方法、及び番組表生成プログラムを提供する。【解決手段】受信可能なチャンネルのリストである全チャンネルリストを生成し、これらのチャンネルで放送予定の全放送スケジュールデータを取得するとともに、全チャンネルリストのチャンネルからユーザによって選択されたチャンネルのリストであるお好みチャンネルリストを生成する。そして、このお好みチャンネルリストを表示手段に表示中に、番組表表示指示があった場合、このお好みチャンネルリストのチャンネルに対応する放送スケジュールデータのみを抽出して、このデータに基づいて番組表を生成して表示手段に表示させる。【選択図】図１
2009290418.tif 000002
【特許請求の範囲】
【請求項１】
放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１のチャンネルリスト生成手段と、
前記複数のチャンネルにおける放送スケジュールを示す情報である第１の放送スケジュールデータを取得する放送スケジュールデータ取得手段と、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第２のチャンネルリスト生成手段と、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる生成手段と、
を有することを特徴とする番組表生成装置。
【請求項２】
前記第１のチャンネルリスト生成手段は、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記生成手段は、前記チャンネル情報に含まれるチャンネル番号と放送方式とを含んだ番組表を生成する、
ことを特徴とする請求項１記載の番組表生成装置。
【請求項３】
装置本体またはこの装置本体を遠隔操作するためのリモコン送信器に設けられている番組表表示ボタンを有し、
前記第２のチャンネルリスト生成手段は、前記番組表表示指示信号を入力させるための選択ボタン画面を生成し、前記第２のチャンネルリストと前記選択ボタン画面とを併せて表示手段に表示させ、
前記生成手段は、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
前記番組表表示ボタンが操作されたことにより発生する第２の番組表表示指示信号が入力された場合、前記第１の放送スケジュールデータに基づいて番組表を生成する、
ことを特徴とする請求項１又は２記載の番組表生成装置。
【請求項４】
放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１のステップと、
前記複数のチャンネルにおける放送スケジュールを示す情報である第１の放送スケジュールデータを取得する第２のステップと、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第３のステップと、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる第４のステップと、
を含むことを特徴とする番組表生成方法。
【請求項５】
前記第１のステップは、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記第４のステップは、前記チャンネル情報に含まれるチャンネル番号と放送方式とを含んだ番組表を生成する、
ことを特徴とする請求項４記載の番組表生成方法。
【請求項６】
前記第３のステップは、前記番組表表示指示信号を入力させるための選択ボタン画面を生成し、前記第２のチャンネルリストと前記選択ボタン画面とを併せて表示手段に表示させ、
前記第４のステップは、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
装置本体またはこの装置本体を遠隔操作するためのリモコン送信器に設けられている番組表表示ボタンが操作されたことにより発生する第２の番組表表示指示信号が入力された場合、前記第１の放送スケジュールデータに基づいて番組表を生成する、
ことを特徴とする請求項４又は５記載の番組表生成方法。
【請求項７】
放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１の機能と、
前記複数のチャンネルにおける放送スケジュールを示す情報である第１の放送スケジュールデータを取得する第２の機能と、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第３の機能と、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる第４の機能と、
をコンピュータに実現させるための番組表生成プログラム。
【請求項８】
前記第１の機能は、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記第４の機能は、前記チャンネル情報に含まれるチャンネル番号と放送方式とを含んだ番組表を生成する、
ことを特徴とする請求項７記載の番組表生成プログラム。
【請求項９】
前記第３の機能は、前記番組表表示指示信号を入力させるための選択ボタン画面を生成し、前記第２のチャンネルリストと前記選択ボタン画面とを併せて表示手段に表示させ、
前記第４のステップは、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
装置本体またはこの装置本体を遠隔操作するためのリモコン送信器に設けられている番組表表示ボタンが操作されたことにより発生する第２の番組表表示指示信号が入力された場合、前記第１の全放送スケジュールデータに基づいて番組表を生成する、
ことを特徴とする請求項７又は８記載の番組表生成プログラム。
【発明の詳細な説明】
【技術分野】
【０００１】
本発明は、各放送チャンネルにおいて放送予定の番組の番組名や放送開始時刻等を知らせるための電子番組表(ＥＰＧ：Electronic Program Guide)を生成する番組表生成装置、番組表生成方法、及び番組表生成プログラムに関する。
【背景技術】
【０００２】
現在、地上デジタル放送、ＢＳ(Broadcasting Satellites)デジタル放送、ＣＳ(Communication Satellites)デジタル放送の運用が開始される等、放送のデジタル化が進んだことや、ケーブルＴＶ放送が普及したこと等によって、放送の多チャンネル化が世界的に進んできている。
【０００３】
また、アナログ放送からデジタル放送への移行段階の国々や地域の中には、アナログ放送とデジタル放送とで同一の番組を同時刻に放送する所謂サイマルキャスト放送を行なっているところもある。
【０００４】
上記のように多チャンネル化が進んだ状況に対応するために、現在のテレビジョン受信機（以下、ＴＶと呼ぶ）の多くは、１つの放送方式だけではなく、例えば地上デジタル放送と地上アナログ放送、更にはＢＳデジタル放送等、複数の放送方式に対応できるようになっている。
【０００５】
従って、現在のＴＶの多くは、アナログ放送のみに対応した従来のＴＶに比べ、非常に多数のチャンネルを受信することが可能である。そして、現在のＴＶの多くは、このような多数のチャンネルから、ユーザが興味のあるチャンネルのみを選局しやすいように、お好みチャンネルリストやフェイバリットリスト等と呼ばれるチャンネルリスト（以下、お好みチャンネルリストと呼ぶ）を生成し、このお好みチャンネルリストを基に選局する機能（以下、お好みチャンネル選局機能と呼ぶ）を有している。お好みチャンネルリストとは、受信可能な全チャンネルのうちからユーザが自身の好みに応じて選択したチャンネルのみを抽出しリスト化したものである。ユーザは、選局の際にこのお好みチャンネルリストを呼び出し、このリストの中から選局したいチャンネルを選択することで、簡単に所望のチャンネルを選局することが可能となる。
【０００６】
一方、現在のＴＶの多くは、各チャンネルにおいて放送予定の番組の番組名や放送開始時刻等を含む放送スケジュール情報（以下、番組情報と呼ぶこともある）をユーザに示すための電子番組表（以下、ＥＰＧと呼ぶ）を表示する機能も有している。
【０００７】
上記したような多数のチャンネルを受信可能なＴＶにおいて、ＥＰＧを視認しやすく表示する技術としては、例えば特許文献１のようなものが提案されている。
【特許文献１】特表２００２−５３４８５８号公報
【発明の開示】
【発明が解決しようとする課題】
【０００８】
現在のＴＶの多くは、上記したとおり、多数のチャンネルを受信可能である。また、お好みチャンネル選局機能、ＥＰＧ機能を有している。
しかしながら、従来は、このお好みチャンネル選局機能を用いる時のお好みチャンネルリスト画面の表示とＥＰＧ画面の表示とが関連付けられていなかったため、使い勝手が悪いという課題があった。
【０００９】
本発明は、上記課題を解決するためになされたものであり、お好みチャンネルリスト画面の表示とＥＰＧ画面の表示とを関連付けることにより、お好みチャンネルリスト画面からＥＰＧ画面へ表示が遷移した場合に、ユーザにとって視認性が良く、かつ、使い勝手の良いＥＰＧ画面を生成し、この生成したＥＰＧ画面を表示装置へ表示させることが可能な番組表生成装置、番組表生成方法、及び番組表生成プログラムを提供することを目的とする。
【課題を解決するための手段】
【００１０】
そこで上記課題を解決するために本発明は、下記の装置、方法、及びプログラムを提供するものである。
（１）放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１のチャンネルリスト生成手段(1,2,5,6,11,13)と、
前記複数のチャンネルにおける放送スケジュールを示す情報である第１の放送スケジュールデータを取得する放送スケジュールデータ取得手段(1,2,5,6,11,14,15)と、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第２のチャンネルリスト生成手段(11,12,13,16,17)と、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる生成手段(11,12,13,14,16,17)と、
を有することを特徴とする番組表生成装置。
（２）前記第１のチャンネルリスト生成手段は、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記生成手段は、前記チャンネル情報に含まれるチャンネル番号と放送方式とを含んだ番組表を生成する、
ことを特徴とする上記（１）記載の番組表生成装置。
（３）装置本体またはこの装置本体を遠隔操作するためのリモコン送信器に設けられている番組表表示ボタンを有し、
前記第２のチャンネルリスト生成手段は、前記番組表表示指示信号を入力させるための選択ボタン画面を生成し、前記第２のチャンネルリストと前記選択ボタン画面とを併せて表示手段に表示させ、
前記生成手段は、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
前記番組表表示ボタンが操作されたことにより発生する第２の番組表表示指示信号が入力された場合、前記第１の放送スケジュールデータに基づいて番組表を生成する、
ことを特徴とする上記（１）又は（２）記載の番組表生成装置。
（４）放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１のステップと、
前記複数のチャンネルにおける放送スケジュールを示す情報である第１の放送スケジュールデータを取得する第２のステップと、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第３のステップと、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる第４のステップと、
を含むことを特徴とする番組表生成方法。
（５）前記第１のステップは、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記第４のステップは、前記チャンネル情報に含まれるチャンネル番号と放送方式とを含んだ番組表を生成する、
ことを特徴とする上記（４）記載の番組表生成方法。
（６）前記第３のステップは、前記番組表表示指示信号を入力させるための選択ボタン画面を生成し、前記第２のチャンネルリストと前記選択ボタン画面とを併せて表示手段に表示させ、
前記第４のステップは、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
装置本体またはこの装置本体を遠隔操作するためのリモコン送信器に設けられている番組表表示ボタンが操作されたことにより発生する第２の番組表表示指示信号が入力された場合、前記第１の放送スケジュールデータに基づいて番組表を生成する、
ことを特徴とする上記（４）又は（５）記載の番組表生成方法。
（７）放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１の機能と、
前記複数のチャンネルにおける放送スケジュールを示す情報である第１の放送スケジュールデータを取得する第２の機能と、
前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第３の機能と、
前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる第４の機能と、
をコンピュータに実現させるための番組表生成プログラム。
（８）前記第１の機能は、前記受信可能なチャンネルを検出するとともに、この検出したチャンネルで放送に用いられている放送方式を検出し、この検出したチャンネルのチャンネル番号と放送方式とを対応付けた情報を前記チャンネル情報とし、
前記第４の機能は、前記チャンネル情報に含まれるチャンネル番号と放送方式とを含んだ番組表を生成する、
ことを特徴とする上記（７）記載の番組表生成プログラム。
（９）前記第３の機能は、前記番組表表示指示信号を入力させるための選択ボタン画面を生成し、前記第２のチャンネルリストと前記選択ボタン画面とを併せて表示手段に表示させ、
前記第４のステップは、前記第２のチャンネルリストを表示中に、前記選択ボタン画面が選択、決定されることにより生成される第１の番組表表示指示信号が入力された場合、前記第２の放送スケジュールデータに基づいて番組表を生成する一方、
装置本体またはこの装置本体を遠隔操作するためのリモコン送信器に設けられている番組表表示ボタンが操作されたことにより発生する第２の番組表表示指示信号が入力された場合、前記第１の全放送スケジュールデータに基づいて番組表を生成する、
ことを特徴とする上記（７）又は（８）記載の番組表生成プログラム。
【発明の効果】
【００１１】
本発明によれば、お好みチャンネルリスト画面からＥＰＧ画面へ表示が遷移した場合に、ユーザにとって視認性が良く、かつ、使い勝手の良いＥＰＧ画面を生成し、この生成したＥＰＧ画面を表示装置へ表示させることが可能となる。
【発明を実施するための最良の形態】
【００１２】
以下、本発明の番組表生成装置の実施の形態について、添付図面を参照して説明する。
＜＜第１の実施形態＞＞
＜全体構成＞
図１は、本発明の番組表生成装置の第１の実施形態を搭載したＴＶの構成を示すブロック図である。以下、この図１を用いて各構成を説明する。
【００１３】
チューナ部１は、図示しないアンテナやケーブル等から入力される所定周波数帯域内の複数の放送波（ＲＦ信号）のうち、制御部１１によって指定される放送周波数（物理チャンネル）のＲＦ信号を選局する。そして、この選局したＲＦ信号をＩＦ部２へ出力する。
【００１４】
ＩＦ部２は、入力されるＲＦ信号を中間周波信号（ＩＦ信号）に復調する。そして、この復調したＩＦ信号を、アナログ映像検波部３、アナログ音声復調部４、デジタル復調部５へそれぞれ出力する。
【００１５】
アナログ映像検波部３は、入力されるＩＦ信号をアナログ映像検波する。そして、このアナログ映像検波した信号を、信号切り替え及び映像合成部９へ出力する。ここで、ＩＦ信号がアナログ放送による信号の場合は、アナログ映像検波された信号はアナログ映像信号となる。なお、以降の説明では、このアナログ映像検波されたアナログ映像信号をアナログ放送映像信号と呼ぶ。また、アナログ映像検波部３は、アナログ映像検波した信号を、同期検出部１０にも出力する。
【００１６】
同期検出部１０は、入力されるアナログ映像検波された信号に、映像同期信号が含まれているか否かを検出し、その検出結果を制御部１１へ出力する。これにより、制御部１１は、選局したＲＦ信号が、アナログ放送のものであるのか否かを判別することが可能となる。つまり、アナログ映像検波された信号に映像同期信号が含まれている場合は、その信号はアナログ放送映像信号であるので、選局したＲＦ信号がアナログ放送のものあると判別できることになる。
【００１７】
アナログ音声復調部４は、入力されるＩＦ信号をアナログ音声復調する。そして、このアナログ音声復調された信号を、信号切り替え及び映像合成部９へ出力する。ここで、ＩＦ信号がアナログ放送による信号の場合は、アナログ音声復調された信号はアナログ音声信号となる。なお、以降の説明では、このアナログ音声復調されたアナログ音声信号をアナログ放送音声信号と呼ぶ。
【００１８】
デジタル復調部５は、入力されるＩＦ信号をデジタル復調する。ここで、ＩＦ信号がデジタル放送による信号の場合は、デジタル復調された信号はデジタルデータとなる。デジタル復調部５は、このデジタルデータをＴＳ(Transport Stream)デコード部６へ出力する。
【００１９】
ＴＳデコード部６は、入力されるデジタルデータに時分割多重されている映像データと音声データと各種データとを分離する。そして、映像データを映像デコード部７へ出力し、音声データを音声デコード部８へ出力し、各種データを番組情報検索及び取得部１４へ出力する。なお、各種データには放送スケジュール情報（番組表データ）等が含まれている。また、デジタル放送の場合、１つの物理チャンネル内に、更に、異なるチャンネル番号が割り当てられる複数のサービス（つまり複数の映像データ及び音声データ）が存在する場合がある。この、サービス毎に割り当てられるチャンネル番号を物理チャンネルと区別してサービスチャンネルと呼ぶ。そして、ＴＳデコード部６は、デジタル放送の場合、制御部１１から出力されるサービスチャンネル情報を受付け、このサービスチャンネル情報に対応したサービスの映像データ及び音声データを分離して出力する。
【００２０】
映像デコード部７は、入力される映像データをデコードしてアナログ映像信号を生成する。なお、以降の説明では、このデジタルデータをデコードして生成されたアナログ映像信号をデジタル放送映像信号と呼ぶ。そして、映像デコード部７は、このデジタル放送映像信号を、信号切り替え及び映像合成部９へ出力する。
【００２１】
音声デコード部８は、入力される音声データをデコードしてアナログ音映信号を生成する。なお、以降の説明では、このデジタルデータをデコードして生成されたアナログ音声信号をデジタル放送音声信号と呼ぶ。そして、音声デコード部８は、このデジタル放送音声信号を信号切り替え及び映像合成部９へ出力する。
【００２２】
リモコン送信器１７（以下、単にリモコン１７と呼ぶ）は、ユーザによる選局ボタンの押下等の操作に応じた制御信号を、赤外線光等の無線信号に変換し、外部へ出力する。
制御信号受信部１６は、リモコン１７から出力される無線信号を受信し、所定の制御信号に変換する。そして、この制御信号を制御部１１へ出力する。
【００２３】
制御部１１は、入力される制御信号に応じたＴＶの動作を実現するために、各構成部をそれぞれ制御する。なお制御部１１とＴＶ内の各構成部とは制御ラインによって接続されているが、図面の簡素化の為、一部は図示していない。
【００２４】
ＯＳＤ(On Screen Display)生成部１２は、制御部１１からの制御指示に従って、お好みチャンネルリスト画面、ＥＰＧ画面、各種設定用のメニュー画面等を表示装置に表示するためのグラフィクス信号を生成する。そして、この生成したグラフィクス信号を、信号切り替え及び映像合成部９へ出力する。
【００２５】
信号切り替え及び映像合成部９は、制御部１１からの制御指示に従って、アナログ放送映像信号とデジタル放送映像信号とグラフィクス信号とのうちのいずれかを選択する。そして、この選択した信号を、図示しないディスプレイ等の表示部へ出力する。なお、グラフィクス信号は、アナログ放送映像信号とデジタル放送映像信号とのうちの選択した方の映像信号に合成して出力される場合もある。また、同様に、信号切り替え及び映像合成部９は、制御部１１からの制御指示に従って、アナログ放送音声信号とデジタル放送音声信号とのうちいずれか一方を選択する。そしてこの選択した信号を、図示しないスピーカ等の発音部へ出力する。
【００２６】
外部Ｉ／Ｆ部１５は、通信回線等を介して外部のＥＰＧデータ提供事業者が用意する専用サーバ等と接続されており、この専用サーバから放送スケジュール情報を含む各種データを受信する。そして、受信した各種データを番組情報検索及び取得部１４へ出力する。
【００２７】
番組情報検索及び取得部１４は、ＴＳデコード部６や外部Ｉ／Ｆ部１５から入力される各種データから、放送予定番組の番組名や放送開始時刻等を含む放送スケジュール情報を取得する。
【００２８】
チャンネルリスト生成記憶部１３は、制御部１１からの制御指示に応じて、お好みチャンネルリスト等のチャンネルリストを生成し、記憶する。
＜チャンネルスキャン＞
次に、チャンネルスキャンについて説明する。
【００２９】
ＴＶは、一般的に、そのＴＶの設置場所において受信可能なチャンネルを検出するためのチャンネルスキャン機能を有している。チャンネルスキャンとは、予め放送法等で定められている放送帯域内の全ての放送周波数（物理チャンネル）に対して順番に選局し、実際に放送がなされており、そのＴＶが受信可能な物理チャンネルのみを抽出してリスト化する処理である。このリストを全チャンネルリスト（第１のチャンネルリスト）と呼ぶ。なお、この全チャンネルリストは、かならずしも受信可能な全ての物理チャンネルがリスト化される必要はなく、受信可能であっても放送電波の強度が弱く受信状態が不安定な物理チャンネル等はリストから除外される場合もある。
【００３０】
ＴＶは、基本的にこの全チャンネルリストに基づいて、選局を行なう。
なお、デジタル放送の場合は、１つの物理チャンネル内に更に複数のサービスが存在する場合がある。従って、デジタル放送の全チャンネルリストは、このサービス毎に割り当てられているサービスチャンネルのリストとなる。しかし、この場合でも物理チャンネルはチューナ部１における選局のためには必要であるので、サービスチャンネルと対応付けてリスト内に残しておく必要がある。
【００３１】
また、チャンネルスキャンは主に地上アナログ放送及び地上デジタル放送の場合に行なうものである。ＢＳデジタル放送やＣＳデジタル放送では、基本的にこの全チャンネルリスト自体が放送されるのでチャンネルスキャンは必要ない。
【００３２】
以下、全チャンネルリストを生成するためのチャンネルスキャンの処理について図１を参照しながら説明する。
制御部１１は、リモコン１７、制御信号受信部１６を介して、ユーザからのチャンネルスキャン機能実行開始指示に対応する制御信号を受け付けると、チャンネルスキャン処理を開始する。
【００３３】
まず、制御部１１は、チューナ部１に最初の物理チャンネルを指定して選局を開始させる。通常は、放送帯域内の複数の物理チャンネルのうち一番大きい値、或いは小さい値の物理チャンネルを指定する。ここで、チューナ部１が正常に選局したか否かでその物理チャンネルで放送が行なわれているか否かが判断できる。更に、制御部１１は、チューナ部１が正常に選局した場合、既に説明したとおり、同期検出部１０の検出結果によって選局した物理チャンネルでの放送方式がアナログ放送であるか否かを判断する。また、デジタル復調部５において正常にデジタルデータが復調できたか否かで、選局した物理チャンネルの放送方式がデジタル放送であるか否かを判断する。
【００３４】
以上の判断結果によって、制御部１１は、選局した物理チャンネルの放送方式がアナログ放送の場合は物理チャンネルの番号そのものをチャンネルリスト生成記憶部１３に出力する。一方、デジタル放送の場合は、この物理チャンネルのチャンネル番号に加えて、ＴＳデコード部６で分離した各種データに含まれるサービスチャンネル情報を取得してチャンネルリスト生成記憶部１３に出力する。
【００３５】
チャンネルリスト生成記憶部１３は、入力される物理チャンネル番号、及びサービスチャンネル情報を、全チャンネルリストのうちの１つのチャンネル情報（第１の放送スケジュールデータ）として記憶する。なお、２回目の処理以降は、各チャンネル情報を、この全チャンネルリストに追加して記憶する。また、サービスチャンネル情報には、サービスチャンネルの番号も含まれる。
【００３６】
以上の処理を、放送帯域内の全ての物理チャンネルに対して順次実行することで全チャンネルリストを完成させる。
なお、全チャンネルリストは、放送方式毎にチャンネルを区別して記憶しても良いし、全ての放送方式のチャンネルを１つにまとめて記憶しても良い。１つにまとめて記憶する場合は、放送方式を識別する情報をチャンネル情報に含めて記憶する。
【００３７】
また、デジタル放送の場合は、そのチャンネルを使用している放送局の局名やチャンネル名等のテキスト情報も取得できるので、このテキスト情報もチャンネル情報として記憶する。
＜お好みチャンネルリスト生成処理＞
次に、前述したお好みチャンネルリストを生成する処理について図１を参照しながら説明する。
【００３８】
制御部１１は、リモコン１７、制御信号受信部１６を介して、ユーザからのお好みチャンネルリストの生成開始指示に対応する制御信号を受け付けると、お好みチャンネルリスト生成処理を開始する。
【００３９】
まず、制御部１１は、チャンネルリスト生成記憶部１３に記憶されている全チャンネルリストを読み出し、ＯＳＤ生成部１２に出力する。
ＯＳＤ生成部１２は、入力された全チャンネルリストを、表示部に表示できるようなグラフィクス信号に変換し、信号切り替え及び映像合成部９を介して図示しない表示部に表示する。
【００４０】
ユーザは、リモコン１７等を用い、表示された全チャンネルリストの中から、自分の好みに応じてチャンネルを選択する。
制御部１１は、リモコン１７、制御信号受信部１６を介して、選択されたチャンネルを示す情報を受け付けると、この情報に対応したチャンネルをお好みチャンネルリストに追加すべきチャンネル情報として、チャンネルリスト生成記憶部１３へ出力する。
【００４１】
チャンネルリスト生成記憶部１３は、お好みチャンネルリストに追加すべきチャンネル情報が入力されたと判断したら、この入力されたチャンネル情報をお好みチャンネルリスト（第２のチャンネルリスト）のうちの１つのチャンネル情報（第２のスケジュールデータ）として記憶する。なお、２回目の処理以降は、入力されるチャンネル情報を、このお好みチャンネルリストに追加して記憶する。
【００４２】
以上の処理を繰り返して、ユーザの好みに応じたお好みチャンネルリストを生成し記憶する。
なお、ＴＶを使用するユーザは１人とは限らないので、このお好みチャンネルリストは複数生成しても良い。この場合は、お好みチャンネルリストを生成する際の最初に、各ユーザにそれぞれユーザ識別情報を入力させ、このユーザ識別情報をこれから生成するお好みチャンネルリストに対応付けるようにすることで、複数のお好みチャンネルリストを識別、管理する。
＜お好みチャンネル選局処理＞
以下、上記のようにして生成し表示されたお好みチャンネルリストを用いて選局するお好みチャンネル選局処理について図１及び図３を参照しながら説明する。図３は、お好みチャンネル選局処理を実行する際のお好みチャンネルリストの表示例である。
【００４３】
制御部１１は、リモコン１７、制御信号受信部１６を介して、ユーザからのお好みチャンネルリストの表示指示に対応する制御信号を受け付けると、お好みチャンネルリストの表示処理を開始する。なお、お好みチャンネルリストの表示指示に対応する制御信号にはユーザが入力した識別情報も含まれている。
【００４４】
まず、制御部１１は、チャンネルリスト生成記憶部１３に記憶されている、ユーザの識別情報に対応したお好みチャンネルリストを読み出し、ＯＳＤ生成部１２で処理可能なフォーマットの信号に変換して、この信号をＯＳＤ生成部１２に出力する。
【００４５】
ＯＳＤ生成部１２は、入力された信号を、表示部に表示できるようにグラフィクス信号に変換し、このグラフィクス信号を信号切り替え及び映像合成部９を介して図示しない表示部に出力する。
【００４６】
上記した処理によって表示部に表示されたお好みチャンネルリストの表示例を図３に示す。
この表示例では、お好みチャンネルリストのグラフィクス信号を、スマイルマークを表示する映像信号に合成して表示している。なお、映像信号と合成せず、お好みチャンネルリストのグラフィクス信号のみを表示する構成でも良い。
【００４７】
符号１０１で示す領域がお好みチャンネルリストを表示する領域（以下、お好みチャンネルリスト表示領域１０１と呼ぶ）である。このお好みチャンネルリスト表示領域１０１内の、符号１０２で示す領域は、このお好みチャンネルリストの名称を表示する領域（以下、リスト名表示領域１０２と呼ぶ）である。符号１０３で示す領域は、チャンネル名や放送局名を表示する領域（以下、チャンネル名表示領域１０３と呼ぶ）である。符号１０４で示す領域は、そのチャンネルがアナログ放送であるかデジタル放送であるか等、放送方式を示す領域（以下、放送方式表示領域１０４と呼ぶ）である。この例では、「Ｄ」が地上デジタル放送を示し、「Ａ」が地上アナログ放送を示し、「Ｒ」がケーブルＴＶ放送を示している。
【００４８】
また、符号１０５で示す領域は、ＥＰＧ画面を表示させるためのボタンを示す領域（以下、ＥＰＧ表示ボタン画面１０５と呼ぶ）である。なお、このＥＰＧ表示ボタン画面１０５は、従来においては無かったものであり、本発明において新たに追加したものである。これについては後述する。
【００４９】
ユーザは、選局のために、上記のようにして表示されたお好みチャンネルリスト内のチャンネル名から１つのチャンネル名をリモコン１７のカーソル移動キー等によって選択、決定する。
【００５０】
制御部１１は、リモコン１７、制御信号受信部１６を介して、ユーザが選択、決定したチャンネル名を示す選局のための制御信号を受け付けると、この受け付けた制御信号が示すチャンネル名に対応した物理チャンネル情報、及びデジタル放送の場合は更にサービスチャンネル情報を、チャンネルリスト生成記憶部１３に記憶されているお好みチャンネルリストまたは全チャンネルリストから取得する。
【００５１】
次に、制御部１１は、取得した物理チャネル情報はチューナ部１に、そしてデジタル放送の場合は、更に、サービスチャンネル情報をＴＳデコード部６に設定する。
以降の選局処理は、全体構成で説明した内容と同等内容の処理であるので説明は省略する。
【００５２】
お好みチャンネルリストを用いた選局処理は上記したとおりであるが、お好みチャンネルリストを表示した後、ユーザは、お好みチャンネルリストに表示されている各チャンネルの今後の放送予定を確認したいと考える場合がある。この場合、ユーザは、リモコン１７等に用意されるＥＰＧ表示ボタンを操作することによってＥＰＧ画面を表示させることになる。
＜ＥＰＧ画面生成処理＞
従来、このような場合に表示されるＥＰＧ画面は、例えば図５に示すようになっていた。
【００５３】
以下、この従来のＥＰＧ画面の構成を説明する。なお、図３で示した領域の同じ領域には同じ符号が付してある。
ＥＰＧ画面２０１は、図３で説明した、リスト名表示領域１０２、チャンネル名表示領域１０３、放送方式表示領域１０４に加えて、チャンネル名表示領域１０３のうち、選択されている１つのチャンネル名領域（斜線部分）に対応するチャンネルにおける放送スケジュールを表示するスケジュール表示領域２０２、このスケジュール表示領域２０２に表示される番組のうち現在放送中の番組の番組名（斜線部分）を表示する番組名表示領域２０３、スケジュール表示領域２０２に表示可能な日にちを示す日付表示領域２０４を含んでいる。
【００５４】
上記したような従来のＥＰＧ画面２０１では、その画面内に表示するチャンネル及びそのチャンネルの表示順は、ＥＰＧデータ提供事業者が提供する放送スケジュール情報やＴＶ設置時のチャンネルサーチによって生成した全チャンネルリストに応じたものとなってしまう。
【００５５】
図３のお好みチャンネルリストを表示中にＥＰＧ表示を指示したユーザが確認したいと思っているのはこのお好みチャンネルリストに表示されている各チャンネルの今後の放送予定である可能性が非常に高い。
【００５６】
しかしながら、図５の例では、表示されるチャンネル及びその表示順は、ＴＶがチャネルスキャン時に「地上デジタル放送」として生成した全チャンネルリストに応じたチャンネル及びそのチャンネルの表示順となってしまい、ユーザにとって不要なチャンネルの放送予定情報も含まれてしまう。従って、お好みチャンネルリスト画面からＥＰＧ画面への遷移において、従来表示されるＥＰＧ画面は、ユーザにとって視認性が悪く、使い勝手が悪いものであった。
【００５７】
以下に、上記課題を解決するためのＥＰＧ画面の生成処理について説明する。
図４は、本発明の実施形態によって生成されるＥＰＧ画面の表示例である。
同図でわかるように、図３のチャンネル名表示領域１０３の表示内容（お好みチャンネルリストの内容）と同一の内容が、図４のチャンネル名表示領域１０３にも表示されている。
【００５８】
以下、第１の実施形態におけるＥＰＧ画面の生成処理の手順を、図１、図２、及び図３を併せ参照して説明する。図２は、この第１の実施形態におけるＥＰＧ画面を生成する手順を説明するフローチャートである。なお、より詳細に説明するため、上記において説明したお好みチャンネルリストを表示させる時点からの手順について再び説明する。
【００５９】
ユーザは、お好みチャンネルリストによる選局を行いたいと考えた場合、まず、リモコン１７に設けられているお好みチャンネル表示ボタン１７１を押下する。なお、「押下」はボタン操作の一例を示したもので、このお好みチャンネル表示ボタンを選択する操作であればどのような操作でも良い。また、お好みチャンネル表示ボタン１７１はユーザ毎に複数用意しておいても良い。この場合、お好みチャンネル表示ボタン１７１が操作された時に出力されるお好みチャンネルリストの表示開始指示に対応する制御信号にはユーザ毎の識別情報も含まれる。
【００６０】
制御部１１は、リモコン１７、制御信号受信部１６を介して、お好みチャンネル表示ボタン１７１が押下されることにより、お好みチャンネルリストの表示開始指示に対応する制御信号を受け付ける（ステップＳ１０１のＹｅｓ）と、上記において説明した処理によりお好みチャンネルリストを表示する（ステップＳ１０２）。一方、お好みチャンネル表示ボタン１７１が押下されず、お好みチャンネルリストの表示開始指示に対応する制御信号を受け付けない場合は、このステップＳ１０１において待機する（ステップＳ１０１のＮｏ）。なお、ここで、お好みチャンネルリストの表示開始指示に対応する制御信号ではない他の信号が入力された場合は、その他の信号が示す処理を行なう。
【００６１】
そしてユーザは、このお好みチャンネルリストが表示されている状態において、お好みチャンネル選局を行なうのではなく、このお好みチャンネルリストに表示されている各チャンネルにおける今後の放送予定を確認したいと考えた場合、リモコン１７のカーソル移動キー等を操作して、お好みチャンネルリスト表示領域１０１内のＥＰＧ表示ボタン画面１０５を選択、決定する。なお、以上の説明においてはＥＰＧ表示ボタン画面１０５をお好みチャンネルリスト表示領域１０１内に表示する例を示したが、ＥＰＧ表示ボタン画面１０５は、お好みチャンネルリスト表示領域１０１外に表示するようにしても良い。
【００６２】
制御部１１は、ＥＰＧ表示ボタン画面１０５が選択、決定されたことを示す制御信号を、リモコン１７、制御信号受信部１６を介して受信したら（ステップＳ１０３のＹｅｓ)、チャンネルリスト生成記憶部１３から、現在表示中のお好みチャンネルリストに含まれる情報のうち少なくともチャンネル情報を取得する（ステップＳ１０４)。一方、ＥＰＧ表示ボタン画面１０５が選択、決定されたことを示す制御信号が入力されない場合は（ステップＳ１０３のＮｏ)、このステップＳ１０３で入力を待つ。なお、ここで、ＥＰＧ表示ボタン画面１０５が選択、決定されたことを示す制御信号ではない他の信号が入力された場合は、その他の信号が示す処理を行なう。
【００６３】
次に、制御部１１は、上記で取得したそれぞれのチャンネル情報に対応する各チャンネルで放送予定の番組の番組名、放送開始／終了時刻、番組説明などの放送スケジュール情報を、番組情報検索及び取得部１４から取得する（ステップＳ１０５)。
【００６４】
そして、制御部１１は、この読み出した放送スケジュール情報と、チャンネルリスト生成記憶部１３から読み出したチャンネル情報とを対応付けたＥＰＧ画面を表示するためのＥＰＧデータを生成し、この生成したＥＰＧデータをＯＳＤ生成部１２へ出力する（ステップＳ１０６)。
【００６５】
ＯＳＤ生成部１２は、入力されたＥＰＧデータを基に、表示部に表示できる形態のグラフィクス信号を生成し（ステップＳ１０７)、信号切り替え及び映像合成部９を介して図示しない表示部に出力する（ステップＳ１０８)。
【００６６】
なお、上記の説明においては、制御部１１は、ＥＰＧ表示ボタン画面１０５が選択、決定された場合、チャンネルリスト生成記憶部１３からチャンネル情報を読み出す例を説明したが、チャンネル情報は、お好みチャンネルリストを生成する際に、制御部１１自身が有する一時記憶部に記憶しておき、ＥＰＧ表示ボタン画面１０５が選択、決定された場合、この一時記憶部に記憶してあるチャンネル情報を用いるようにしても良い。このようにすることでＥＰＧ画面表示までの時間を短縮させることが可能となる。
【００６７】
また、チャンネルリスト生成記憶部１３から読み出す情報は、チャンネル情報だけではなく、予め検出されてリストに含まれているそのチャンネルの放送方式情報も読み出して、ＥＰＧ画面に表示させるようにしても良い。図４では、放送方式表示領域１０４にこの放送方式情報を表示している。このように、チャンネル情報と対応付けて放送方式情報も表示することで、ユーザの視認性をより向上させることができる。すなわち、デジタル放送では、放送スケジュール情報が番組とともに放送されるが、アナログ放送では、基本的に個々の番組に対する放送スケジュール情報は放送されない。従って、アナログ放送に対してはＥＰＧ画面が表示されない場合がある。つまり、スケジュール表示領域２０２にスケジュールが表示されない場合がある。このような場合でも、放送方式表示領域１０４にアナログ放送であることを示す情報が表示されていれば、ユーザは、ＴＶの不具合で表示されていないのではないことが認識できるようになる。なお、アナログ放送でも、ＥＰＧデータ提供事業者が、特定の放送局と契約して、その放送局から放送スケジュール情報を放送する場合や、通信回線を介して専用サーバから放送スケジュール情報を提供する場合もある。この場合は、これらの情報を取得できる機能を有していれば、スケジュール表示領域２０２に放送スケジュールを表示することが可能となる。
＜＜第２の実施形態＞＞
上記した第１の実施形態においては、図３に示すお好みチャンネルリスト表示領域１０１内に表示されているＥＰＧ表示ボタン画面１０５が選択、決定された場合、お好みチャンネルリストに応じたＥＰＧ画面２０１を表示する例を説明した。
【００６８】
しかし、ユーザのＴＶの利用状況によっては、お好みチャンネルリストを表示中に、このお好みチャンネルリストに無いチャンネルの放送スケジュールを知りたいと思う場合がある。
【００６９】
以下、このような場合に対応した第２の実施形態について説明する。但し、お好みチャンネルリスト生成処理、及びお好みチャンネル選局処理は第１の実施形態と同じ処理内容であるので説明を省略する。
【００７０】
図６は、この第２の実施形態を搭載したＴＶの構成を示すブロック図である。基本的な
構成要素は図１と同様であり、同一構成要素には同一の符号を付し、それらの説明は省略する。図１との違いは、リモコン１７に、ＥＰＧ表示ボタン１７２が追加されている点である。
【００７１】
そして、ユーザによってこのＥＰＧ表示ボタン１７２に対して押下等の操作がなされた場合は、お好みチャンネルリストの表示中か否かに関わらず、全チャンネルリストに応じたＥＰＧ画面を表示する。なお、ＥＰＧ表示ボタン１７２は、リモコン１７ではなく、ＴＶの本体部に設けられていても良いし、リモコン１７とＴＶの本体部の両方に設けられていても良い。
【００７２】
このようにすることにより、お好みチャンネルリストを表示中であっても、全チャンネルリストに応じたＥＰＧ画面を表示できるので、ユーザは、このお好みチャンネルリストに無いチャンネルの放送スケジュールを知ることが可能となる。
【００７３】
以下、第２の実施形態におけるＥＰＧ画面の生成処理の手順を、図６、図７、及び図３を併せ参照して説明する。なお、図７は、この第２の実施形態におけるＥＰＧ画面を生成する手順を説明するフローチャートである。また、第１の実施形態の図２のフローチャートと同様の処理を行なうステップには同一のステップ番号を付している。
【００７４】
なお、ステップＳ１０１〜ステップＳ１０２の処理手順は、図２に示す第１の実施形態の処理手順と同様であるので説明は省略する。
ユーザは、図３に示すお好みチャンネルリストが表示されている状態において、お好みチャンネル選局を行なうのではなく、このお好みチャンネルリストに表示されている各チャンネルにおける今後の放送予定を確認したいと考えた場合、リモコン１７のカーソル移動キー等を操作して、お好みチャンネルリスト表示領域１０１内のＥＰＧ表示ボタン画面１０５を選択、決定する。一方、同様にお好みチャンネルリスト表示状態時に、ユーザが、このお好みチャンネルリストに表示されている各チャンネル以外のチャンネルにおける今後の放送予定も確認したいと考えた場合、ＥＰＧ表示ボタン１７２を操作する。
【００７５】
制御部１１は、まず、ＥＰＧ表示ボタン画面１０５が選択、決定されたことを示す制御信号を、リモコン１７、制御信号受信部１６を介して受信したら（ステップＳ１０３のＹｅｓ)、チャンネルリスト生成記憶部１３から、現在表示中のお好みチャンネルリストに含まれる情報のうち少なくともチャンネル情報を取得する（ステップＳ１０４)。一方、ＥＰＧ表示ボタン画面１０５が選択、決定されたことを示す制御信号が入力されない場合（ステップＳ１０３のＮｏ)、次のステップＳ２０１に処理を移行する。
【００７６】
次に、制御部１１は、このステップＳ２０１においてＥＰＧ表示ボタン１７２が操作されたことを示す制御信号を、リモコン１７、制御信号受信部１６を介して受信したら（ステップＳ２０１のＹｅｓ）、チャンネルリスト生成記憶部１３から、全チャンネルリストに含まれる情報のうち少なくともチャンネル情報を取得する（ステップＳ２０２)。一方、ＥＰＧ表示ボタン画面１０５が選択、決定されたことを示す制御信号とＥＰＧ表示ボタン１７２が操作されたことを示す制御信号とのいずれも入力されない場合は（ステップＳ２０１のＮｏ)、ステップＳ１０３に戻って入力を待つ。
【００７７】
なお、制御部１１は、ＥＰＧ表示ボタン画面１０５が選択、決定されたことを示す制御信号及びＥＰＧ表示ボタン１７２が操作されたことを示す制御信号ではない他の信号が入力された場合は、その他の信号が示す処理を行なう。
【００７８】
次のステップＳ１０５以降の処理手順は、図２に示す第１の実施形態の処理手順と同様であるので説明は省略する。
＜＜第３の実施形態＞＞
また、上記第２の実施形態は、ＥＰＧ表示ボタン画面１０５が選択、決定されたときに表示するＥＰＧ画面と、ＥＰＧ表示ボタン１７２が操作されたときに表示するＥＰＧ画面とを異ならせる例であったが、お好みチャンネルリストの表示と、このＥＰＧ表示ボタン１７２とを連動させても良い。つまり、お好みチャンネルリストが表示されていないときにＥＰＧ表示ボタン１７２が操作された場合は、通常の全チャンネルリストに対応したＥＰＧ画面を生成、表示する一方、お好みチャンネルリストが表示されているときにＥＰＧ表示ボタン１７２が操作された場合は、お好みチャンネルリストに対応したＥＰＧ画面を生成、表示するようにしても良い。
＜＜第４の実施形態＞＞
更に、お好みチャンネルリスト表示領域１０１の内外に、お好みチャンネルリストに対応したＥＰＧ画面を表示させるための第１のＥＰＧ表示ボタン画面と、全チャネルリストに対応したＥＰＧ画面を表示させるための第２のＥＰＧ表示ボタン画面との二つのＥＰＧ表示ボタン画面を設けるようにしても良い。さらに、同様に、リモコン１７にも二つのＥＰＧ表示ボタンを設けても良い。
【００７９】
なお、以上説明した第１〜第４の実施形態の番組表生成装置においては、図１における、チューナ部１、ＩＦ部２、アナログ映像検波部３、デジタル復調部５、ＴＳデコード部６、同期検出部１０、制御部１１、及びチャンネルリスト生成記憶部１３とで、放送用に予め定められている複数のチャンネルのうちから受信可能なチャンネルを検出し、この検出したチャンネルのチャンネル番号を少なくとも含む情報をチャンネル情報とし、このチャンネル情報のリストである第１のチャンネルリストを生成する第１のチャンネルリスト生成手段を構成している。
【００８０】
チューナ部１、ＩＦ部２、デジタル復調部５、ＴＳデコード部６、制御部１１、番組情報検索及び取得部１４、及び外部Ｉ／Ｆ部１５とで、前記複数のチャンネルにおける放送スケジュールを示す情報である第１の放送スケジュールデータを取得する放送スケジュールデータ取得手段を構成している。
【００８１】
制御部１１、ＯＳＤ生成部１２、チャンネルリスト生成記憶部１３、制御信号受信部１６、及びリモコン１７とで、前記第１のチャンネルリストに含まれるチャンネル情報に対応するチャンネルのうちから、選択された１つ以上のチャンネルに対応するチャンネル情報のリストである第２のチャンネルリストを生成し、この生成した第２のチャンネルリストを表示手段に表示させる第２のチャンネルリスト生成手段を構成している。
【００８２】
制御部１１、ＯＳＤ生成部１２、チャンネルリスト生成記憶部１３、番組表検索部及び取得部１４、制御信号受信部１６、及びリモコン１７とで、前記第２のチャンネルリストを表示中に、番組表表示指示信号が入力された場合、前記第１の放送スケジュールデータのうちから、前記第２のチャンネルリストに含まれている前記チャンネル情報に対応する放送スケジュールデータのみを第２の放送スケジュールデータとして抽出し、この抽出した第２の放送スケジュールデータに基づいて番組表を生成し、この生成した番組表を表示手段に表示させる生成手段を構成している。
【００８３】
なお、本発明は、上記した装置の機能を、コンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【図面の簡単な説明】
【００８４】
【図１】本発明の電子番組表生成装置の第１の実施形態を搭載したデジタル放送受信機の構成例を示すブロック図である。
【図２】本発明の第１の実施形態の動作の流れを示すフローチャートである。
【図３】本発明の実施形態によって表示されるお好みチャンネルリスト画面の例である。
【図４】本発明の実施形態によって表示されるＥＰＧ画面の例である。
【図５】従来技術によって表示されるＥＰＧ画面の例である。
【図６】本発明の電子番組表生成装置の第２及び第３の実施形態を搭載したデジタル放送受信機の構成例を示すブロック図である。
【図７】本発明の第２の実施形態の動作の流れを示すフローチャートである。
【符号の説明】
【００８５】
１  チューナ部
２  ＩＦ部
３  アナログ映像検波部
４  アナログ音声復調部
５  デジタル復調部
６  ＴＳデコード部
７  映像デコード部
８  音声デコード部
９  信号切替え及び映像合成部
１０  同期検出部
１１  制御部
１２  ＯＳＤ生成部
１３  チャンネルリスト生成記憶部
１４  番組情報検索及び取得部
１５  外部Ｉ／Ｆ部
１６  制御信号受信部
１７  リモコン
【図１】
2009290418.tif 000003
【図２】
2009290418.tif 000004
【図３】
2009290418.tif 000005
【図４】
2009290418.tif 000006
【図５】
2009290418.tif 000007
【図６】
2009290418.tif 000008
【図７】
2009290418.tif 000009